(57)【特許請求の範囲】
【請求項１】
車両に搭載された複数の車載機器を制御する車両用制御システムであって、
前記車両用制御システムは、複数の前記車載機器の機能に応じて予め複数のドメインに区分けされ、それら複数のドメインにおいて、それぞれ、前記車載機器を制御するための機器制御部（１４，１５，１６，２４，２５，２６，３４，３５，３６，４４，４５，４６，５４，５５，５６，６４，６５，６６）と、前記機器制御部による制御を統括するドメイン制御部（１０，２０，３０，４０，５０，６０）とに階層化され、
さらに、前記車両が少なくとも２つのエリア（７０，８０，９０）に分割され、複数の前記車載機器は、分割された前記エリアに振り分けられ、
前記車載機器の振り分けに応じて、対応する前記機器制御部が該当する前記エリアに分散して配置され、
前記ドメイン制御部（１０，２０，３０，４０，５０，６０）は、対応する前記機器制御部とともに前記エリアに分散して配置されるローカルドメイン制御部（１２，１３，２２，２３，３２，３３，４２，４３，５２，５３，６２，６３）と、各エリアにおけるエリア制御目標値を定め、当該エリア制御目標値を前記ローカルドメイン制御部に与えるマスタドメイン制御部（１１，２１，３１，４１，５１，６１）とを備える車両用制御システム。
【請求項２】
前記エリアには、
前記ローカルドメイン制御部が前記エリア制御目標値に従い、前記機器制御部を通じて前記車載機器を制御したときの制御結果に応じた物理量を検出する検出部（Ｓ１２０）と、
前記検出部によって検出される制御結果と、前記エリア制御目標値とに基づき、前記エリア内で異常が発生したか否かを判定する異常判定部（Ｓ１３０）と、が設けられ、
前記マスタドメイン制御部は、いずれかの前記エリアで異常が生じた場合に、当該異常の影響を軽減するように、前記ローカルドメイン制御部に与えるエリア制御目標値の変更を指示する変更指示部（Ｓ２６０）を備える請求項１に記載の車両用制御システム。
【請求項３】
前記マスタドメイン制御部の前記変更指示部は、いずれかの前記エリアで異常が生じた場合に、異常と判定された前記エリアにおける制御を補うように、正常と判定されている前記エリアの前記ローカルドメイン制御部に対するエリア制御目標値の変更を指示するように構成される請求項２に記載の車両用制御システム。
【請求項４】
前記エリアには、さらに、前記異常判定部によって異常の発生が判定されたとき、発生した異常の態様に応じて、異常処置を実行する異常処置部（Ｓ１４０）が設けられる請求項２又は３に記載の車両用制御システム。
【請求項５】
前記異常判定部によって異常の発生が判定されたとき、まず、前記異常処置部が異常処置を実行し、その後、前記マスタドメイン制御部の前記変更指示部が、前記ローカルドメイン制御部に対するエリア制御目標値の変更を指示するように構成される請求項４に記載の車両用制御システム。
【請求項６】
前記異常処置の内容が前記マスタドメイン制御部に通知され、前記マスタドメイン制御部の前記変更指示部は、前記異常処置の内容に基づき、異常が生じた前記エリアの前記ローカルドメイン制御部に対するエリア制御目標値の変更を指示するように構成される請求項４又は５に記載の車両用制御システム。
【請求項７】
いずれかの前記エリアに配置される前記ローカルドメイン制御部が、前記マスタドメイン制御部としての機能を兼ね備えるように構成される請求項１乃至６のいずれかに記載の車両用制御システム。
【請求項８】
前記ドメイン制御部の上位に位置付けられる上位制御部をさらに備え、
前記上位制御部は、ドメイン制御目標を定めてそれぞれの前記ドメイン制御部へ通知すること、車両全体の制御モードを設定し、その設定した制御モードをそれぞれの前記ドメイン制御部へ通知すること、及び、それぞれの前記ドメイン制御部において設定されたドメイン制御目標がマッチングしているかどうかを判定し、マッチングしていない場合には、少なくとも１つの前記ドメイン制御部に対し、ドメイン制御目標の変更を指示することのいずれかを行う請求項１乃至７のいずれかに記載の車両用制御システム。
【発明の詳細な説明】
【技術分野】
【０００１】
本発明は、車両に搭載された複数の車載機器を制御する車両用制御システムに関する。
【背景技術】
【０００２】
例えば、特許文献１には、車両構成が変更される場合に、車両モードに応じた制御手段による制御対象に対する挙動制御の変更が容易な車両制御装置（イントラボックス）について記載されている。
【０００３】
この特許文献１の車両制御装置は、車両モード毎に、機能ドメインＥＣＵ及びサブドメインＥＣＵが制御対象に対して実行する挙動制御を、車両構成に応じたモード情報として記憶している。そして、車両制御装置は、記憶しているモード情報に基づき、車両が置かれた車両環境に基づき車両モードを設定して、各機能ドメインＥＣＵ及び各サブドメインＥＣＵが制御対象に対して実行する挙動制御を管理する。
【先行技術文献】
【特許文献】
【０００４】
【特許文献１】特開２０１０‐２４１２９８号公報
【発明の概要】
【発明が解決しようとする課題】
【０００５】
上述した特許文献１では、車両制御システムとして、制御対象の役割に応じていくつかの機能ドメインを規定するとともに、車両制御装置、機能ドメインＥＣＵ、及びサブドメインＥＣＵなどからなる階層化された構造を採用している。このような構成を採用することにより、各制御対象の連携制御を容易に行うことができるとともに、車両構成の変更へ対応するための負荷も軽減することができる。
【０００６】
しかし、上記の構成では、機能ドメインごとに設けられる機能ドメインＥＣＵが、いくつかのサブドメインＥＣＵを通じて、各制御対象を制御することになる。各制御対象は、車両の各部に配置されるので、機能ドメインＥＣＵからサブドメインＥＣＵを介して各制御対象に至る通信配線の長さが長くなり、車両内における取り回しが煩雑になってしまうことが懸念される。
【０００７】
本発明は、上述した点に鑑みてなされたものであり、制御対象である複数の車載機器の機能に応じて複数のドメインを規定しつつ、通信配線の取り回しの煩雑さを軽減することが可能な車両用制御システムを提供することを目的とする。
【課題を解決するための手段】
【０００８】
上記目的を達成するために、本発明による車両用制御システムは、車両に搭載された複数の車載機器を制御するものであって、
車両用制御システムは、複数の車載機器の機能に応じて予め複数のドメインに区分けされ、それら複数のドメインにおいて、それぞれ、車載機器を制御するための機器制御部（１４，１５，１６，２４，２５，２６，３４，３５，３６，４４，４５，４６，５４，５５，５６，６４，６５，６６）と、機器制御部による制御を統括するドメイン制御部（１０，２０，３０，４０，５０，６０）とに階層化され、
さらに、車両が少なくとも２つのエリア（７０，８０，９０）に分割され、複数の車載機器は、分割されたエリアに振り分けられ、
車載機器の振り分けに応じて、対応する機器制御部が該当するエリアに分散して配置され、
ドメイン制御部（１０，２０，３０，４０，５０，６０）は、対応する機器制御部とともにエリアに分散して配置されるローカルドメイン制御部（１２，１３，２２，２３，３２，３３，４２，４３，５２，５３，６２，６３）と、各エリアにおけるエリア制御目標値を定め、当該エリア制御目標値をローカルドメイン制御部に与えるマスタドメイン制御部（１１，２１，３１，４１，５１，６１）とを備えるように構成される。
【０００９】
上記のように、本発明による車両用制御システムでは、車両が少なくとも２つのエリアに分割される。複数の車載機器は、分割されたエリアに振り分けられる。その車載機器の振り分けに応じて、対応する機器制御部も該当するエリアに分散して配置される。そして、ドメイン制御部は、マスタドメイン制御部と、ローカルドメイン制御部とを備える。ローカルドメイン制御部は、対応する機器制御部とともにエリアに分散して配置される。従って、関連するローカルドメイン制御部、機器制御部、及び車載機器を同じエリアに配置することができ、それらを接続するための通信配線の長さの短縮化を図ることができる。その結果、車両における通信配線の取り回しの煩雑さを軽減することができる。
【００１０】
そして、複数のエリアに、ローカルドメイン制御部が分散して配置されることの弊害は、マスタドメイン制御部を設けることで解消している。すなわち、マスタドメイン制御部が、ドメイン全体の制御目標に基づき、各ローカルドメイン制御部に対してエリア制御目標値を与える。これにより、各エリアにローカルドメイン制御部を分散配置した場合であっても、各エリアにおける制御の全体的な整合を図ることが可能になる。
【００１１】
上述した構成において、エリアには、ローカルドメイン制御部がエリア制御目標値に従い、機器制御部を通じて車載機器を制御したときの制御結果に応じた物理量を検出する検出部（Ｓ１２０）と、検出部によって検出される制御結果と、エリア制御目標値とに基づき、エリア内で異常が発生したか否かを判定する異常判定部（Ｓ１３０）と、が設けられ、マスタドメイン制御部は、いずれかのエリアで異常が生じた場合に、当該異常の影響を軽減するように、ローカルドメイン制御部に与えるエリア制御目標値の変更を指示する変更指示部（Ｓ２６０）を備えるように構成することが好ましい。
【００１２】
関連するローカルドメイン制御部、機器制御部、及び車載機器を各エリアに分散配置した場合、エリア単位で個別に異常が発生する可能性が生じる。このような問題に対して上述した構成を採用すれば、エリアごとの異常の発生を検出することが可能となる。そして、いずれかのエリアで異常が生じた場合であっても、マスタドメイン制御部が、ローカルドメイン制御部に与えるエリア制御目標値を変更することで、発生した異常の影響を軽減して、制御を継続することが可能になる。
【００１３】
上記括弧内の参照番号は、本発明の理解を容易にすべく、後述する実施形態における具体的な構成との対応関係の一例を示すものにすぎず、なんら本発明の範囲を制限することを意図したものではない。
【００１４】
また、上述した特徴以外の、特許請求の範囲の各請求項に記載した技術的特徴に関しては、後述する実施形態の説明及び添付図面から明らかになる。
【図面の簡単な説明】
【００１５】
【図１】実施形態に係る、ハイブリッド車両の各種車載機器のための車両用制御システムの全体構成の一例を示すブロック図である。
【図２】車両を、フロントエリア、ミドルエリア、及びリアエリアの３つのエリアに分割した例を示す図である。
【図３】機器制御部及び各ドメイン制御部の各構成要素の各エリアへの配置例を説明するための説明図である。
【図４】ローカルドメイン制御部の制御処理について説明するためのフローチャートである。
【図５】マスタドメイン制御部の制御処理について説明するためのフローチャートである。
【図６】各エリアのローカルドメイン制御部が、異常発生とみなすいくつかの態様と、その際の異常仮処置及び異常本処置とを説明するための説明図である。
【発明を実施するための形態】
【００１６】
本発明に係る車両用制御システムの実施形態を、図面を参照しつつ説明する。以下に説明する実施形態では、車両の走行駆動源として、エンジンと電動モータ（モータジェネレータ）とを有するハイブリッド車両に搭載される各種の車載機器に対して、本発明による車両用制御システムを適用した例について説明する。しかしながら、本発明による車両用制御システムは、ハイブリッド車両における車載機器の制御に適用されるばかりでなく、エンジンのみを有する通常の車両や、電動モータのみを有する電動車両の各種の車載機器の制御に適用されても良い。また、ドメイン分けに関して説明しているが、このドメイン分けは制御システムの制御構造に密接に関係するため、必ずしも以下に説明する例と同一のドメイン分けを行う必要なく、適宜、最適なドメイン分けを行えば良い。
【００１７】
図１は、上述したハイブリッド車両における各種の車載機器のための車両用制御システム１００の全体構成の一例をブロック図として表したものである。本実施形態に係る車両用制御システム１００は、制御対象とする複数の車載機器の機能（役割）に応じて、複数のドメインに区分けされ、それら複数のドメインにおいて、それぞれ、車載機器を制御するための機器制御部１４，１５，１６，２４，２５，２６，３４，３５，３６，４４，４５，４６，５４，５５，５６，６４，６５，６６と、それら機器制御部による制御を統括するドメイン制御部１０，２０，３０，４０，５０，６０とに階層化されている。そして、各ドメイン制御部１０，２０，３０，４０，５０，６０は相互に通信可能に接続されている。
【００１８】
なお、機器制御部１４〜１６，２４〜２６，３４〜３６，４４〜４６，５４〜５６，６４〜６６と、ドメイン制御部１０，２０，３０，４０，５０，６０とは、プログラムやデータベースとして、ＣＰＵ、ＲＯＭ、ＲＡＭ等を備えた電子制御装置（ＥＣＵ）に実装することにより具現化される。この際、後述するエリア単位で、複数の機器制御部やドメイン制御部を共通の電子制御装置に実装するようにしても良い。
【００１９】
具体的には、図１に示す例において、車両用制御システム１００は、パワートレイン（ＰＴ）、エレクトリカル（ＥＬ）、ボデー（ＢＤ）、シャシ（ＣＳ）、周囲環境（ＥＶＩ）、ＨＭＩの６個のドメインに区分けされている。このように定めたドメインにより、ハイブリッド車両に搭載された多数の車載機器は、機能面で類似、関連するもの同士がグループ化される。
【００２０】
例えば、エンジン及びモータジェネレータ（ＭＧ）は、車両を加速させたり、減速させたり、あるいは速度を一定に保つための動力を車両に作用させる役割を担うため、パワートレインドメインに属する。さらに、トランスミッションは、エンジン及び／又はＭＧが発生したトルクを車両の走行状態に適するように変換して駆動軸に伝達する役割を担い、駆動力配分機構は、エンジン及び／又はＭＧが発生したトルク（駆動力）を４輪各輪に配分する役割を担うため、これらの車載機器もパワートレインドメインに属する。その他にも、ＭＧに駆動電力を供給したり、ＭＧが発電した電力を蓄電したりする役割を担う高圧バッテリ、低電圧バッテリの充電のために高圧バッテリが発生する高電圧を降圧して低電圧バッテリに供給するＤＣＤＣコンバータ、外部充電設備により高圧バッテリを充電するための充電器インターフェース（ＩＦ）などの車載機器も、パワートレインドメインに属するものとされる。
【００２１】
パワートレインドメインには、上述した車載機器を制御するための機器制御部１４，１５、１６が設けられている。これらの機器制御部１４，１５，１６は、原則として、パワートレインドメインに属する車載機器に対応して個別に設けられる。例えば、パワートレインドメインには、機器制御部１４，１５，１６として、エンジン制御部、ＭＧ制御部、トランスミッション制御部、駆動力配分機構制御部、高圧バッテリ制御部、ＤＣＤＣコンバータ制御部、充電器ＩＦ制御部などが設けられる。さらに、パワートレインドメインには、これらの機器制御部１４，１５，１６の制御を統括するドメイン制御部として、パワートレイン（ＰＴ）ドメイン制御部１０が設けられている。このＰＴドメイン制御部１０は、機器制御部１４，１５，１６に対して制御目標値を与える。機器制御部１４，１５，１６は、共通のＰＴドメイン制御部１０から与えられた制御目標値に従って、対応する車載機器を制御する。
【００２２】
ＰＴドメイン制御部１０は、マスタドメイン制御部としてのマスタパワートレイン（ＭＰＴ）制御部１１と、ローカルドメイン制御部としてのローカルパワートレイン（ＬＰＴ）制御部１２，１３とから構成されている。ＭＰＴ制御部１１及びＬＰＴ制御部１２，１３は、後述するように、車両を３つのエリアに区画した際、３つのエリアに分かれて配置される。ＭＰＴ制御部１１は、マスタドメイン制御部としての機能と、ローカルドメイン制御部としての機能とを兼ね備えたものである。すなわち、ＭＰＴ制御部１１は、マスタドメイン制御部として、車両の状態や、運転者の操作状態に応じてパワートレインドメイン全体の制御目標を定め、さらに、ドメイン全体の制御目標に基づき、各エリアが実現すべきエリア制御目標値を定める。ＭＰＴ制御部１１によって定められたエリア制御目標値は、ＬＰＴ制御部１２，１３に与えられる。ＬＰＴ制御部１２，１３は、与えられたエリア制御目標値に基づき、機器制御部１５，１６を制御するための制御目標値を算出して、機器制御部１５，１６に出力する。この際、ＭＰＴ制御部１１も、ローカルドメイン制御部として、自身が属するエリアにおけるエリア制御目標値に基づき、機器制御部１４を制御するための制御目標値を算出し、機器制御部１４に出力する。
【００２３】
エレクトリカルドメインに属する車載機器としては、例えば、低圧バッテリや、この低圧バッテリから各種の車載機器への給電のオン、オフを切り換えるジャンクションボックス（ＪＢ）などが挙げられる。本実施形態では、低圧バッテリは、車両のエンジンルーム内に設置される主低圧バッテリ、車両のラゲッジスペース（又はトランクルーム）の床下などに設置される副低圧バッテリなど複数のバッテリを含む。また、ジャンクションボックスは、エンジンルール内及びその付近に搭載された車載機器への給電のオン、オフを切り換えるためのフロントジャンクションボックスと、主として車室内及びその付近に搭載された車載機器への給電のオン、オフを切り換えるセンタージャンクションボックスと、ラゲッジスペース内又はその付近に搭載された車載機器への給電のオン、オフを切り換えるリアジャンクションボックスとを含む。これらのジャンクションボックスは、いずれも、各車載機器へ給電するための電源として、主低圧バッテリと副低圧バッテリとのいずれかを選択することができるように構成されている。
【００２４】
エレクトリカルドメインには、上述した車載機器を制御するための機器制御部２４，２５、２６が設けられている。すなわち、エレクトリカルドメインには、機器制御部２４，２５、２６として、主低圧バッテリ制御部、副低圧バッテリ制御部、フロントＪＢ制御部、センターＪＢ制御部、リアＪＢ制御部などが設けられている。さらに、エレクトリカルドメインには、これらの機器制御部２４，２５，２６の制御を統括するドメイン制御部として、エレクトリカル（ＥＬ）ドメイン制御部２０が設けられている。ＥＬドメイン制御部２０は、マスタドメイン制御部としてのマスタエレクトリカル（ＭＥＬ）制御部２１と、ローカルドメイン制御部としてのローカルエレクトリカル（ＬＥＬ）制御部２２，２３とから構成されている。ＭＥＬ制御部２１は、ＰＴドメイン制御部１０のＭＰＴ制御部１１の場合と同様に、マスタドメイン制御部としての機能と、ローカルドメイン制御部としての機能とを兼ね備えている。
【００２５】
ボデードメインに属する車載機器として、例えば、ヘッドライトやポジションランプなどの前方灯火、歩行者等を保護するためにボンネットに設けられた外部エアバッグ、ドアのロック、アンロックを切り換えるモータや窓を開閉するモータ、シートポジションを調節するモータ、車室内の空調を行うエアコン、車両の乗員を保護するための乗員エアバッグ、リアゲートを自動開閉するためのモータ、ブレーキランプなどの後方灯火などがある。従って、このボデードメインには、機器制御部３４，３５，３６として、前方灯火制御部、外部エアバッグ制御部、ドア制御部、シート制御部、エアコン制御部、乗員エアバッグ制御部、リアゲート制御部、後方灯火制御部などが設けられる。
【００２６】
さらに、ボデードメインには、これらの機器制御部３４，３５，３６の制御を統括するドメイン制御部として、ボデー（ＢＤ）ドメイン制御部３０が設けられている。ＢＤドメイン制御部３０は、マスタドメイン制御部としてのマスタボデー（ＭＢＤ）制御部３１と、ローカルドメイン制御部としてのローカルボデー（ＬＢＤ）制御部３２，３３とから構成されている。ＭＢＤ制御部３１は、マスタドメイン制御部としての機能と、ローカルドメイン制御部としての機能とを兼ね備えている。
【００２７】
シャシドメインに属する車載機器としては、例えば、各車輪に設けられた油圧ブレーキを作動させるため、油圧ポンプや電磁バルブなどの油圧ブレーキ装置の構成部品を駆動するブレーキアクチュエータ、各車輪に設けられた減衰力調整可能なダンパ、各車輪のタイヤに設けられ、空気圧の検知信号を無線通信する空気圧センサ、電動パワーステアリング（ＥＰＳ）、運転者によるブレーキペダルの踏力を増幅してマスタシリンダに伝えるための負圧を発生する負圧ポンプ（ＶＰ）などがある。従って、このシャシドメインには、機器制御部４４，４５，４６として、ブレーキアクチュエータ制御部、ダンパ制御部、空気圧検知制御部、ＥＰＳ制御部、ＶＰ制御部などが設けられる。なお、油圧ブレーキ装置は、前輪側と後輪側とで、それぞれ独立して、油圧を調整できるように構成されており、ブレーキアクチュエータは、左右前輪のブレーキ油圧を個別に調節可能な前輪側ブレーキアクチュエータと、左右後輪のブレーキ油圧を個別に調節可能な後輪側ブレーキアクチュエータとに分けられている。
【００２８】
さらに、シャシドメインには、これらの機器制御部４４、４５，４６の制御を統括するドメイン制御部として、シャシ（ＣＳ）ドメイン制御部４０が設けられている。ＣＳドメイン制御部４０は、マスタドメイン制御部としてのマスタシャシ（ＭＣＳ）制御部４１と、ローカルドメイン制御部としてのローカルシャシ（ＬＣＳ）制御部４２，４３とから構成されている。ＭＣＳ制御部４１は、マスタドメイン制御部としての機能と、ローカルドメイン制御部としての機能とを兼ね備えている。
【００２９】
周囲環境ドメインに属する車載機器としては、例えば、車両前方の障害物を検出するためにフロントグリルやフロントバンパに設置されるレーザレーダ及びミリ波レーダ、車両前方の映像を撮影するためにフロントガラスの室内側に設置されるフロントカメラ、車両後方の映像を撮影するためにリアガラスの室内側に設置されるリアカメラ、車両後方の障害物を検出するためにリアバンパなどに設置されるミリ波レーダなどがある。従って、周囲環境ドメインには、機器制御部５４，５５，５６として、レーザレーダ制御部、フロントミリ波レーダ制御部、フロントカメラ制御部、リアカメラ制御部、リアミリ波レーダ制御部などが設けられる。
【００３０】
さらに、周囲環境ドメインには、これらの機器制御部５４，５５，５６の制御を統括するドメイン制御部として、周囲環境（ＥＶＩ）ドメイン制御部５０が設けられている。ＥＶＩドメイン制御部５０は、マスタドメイン制御部としてのマスタ周囲環境（ＭＥＶＩ）制御部５１と、ローカルドメイン制御部としてのローカル周囲環境（ＬＥＶＩ）制御部５２，５３とから構成されている。ＭＥＶＩ制御部５１は、マスタドメイン制御部としての機能と、ローカルドメイン制御部としての機能とを兼ね備えている。
【００３１】
ＨＭＩドメインに属する車載機器としては、例えば、ボンネットの状態を検知するための検知機構、車室内に設けられたディスプレイや各種スイッチ、リアゲートの状態を検知するための検知機構などがある。従って、ＨＭＩドメインには、機器制御部６４，６５，６６として、ボンネット状態検知制御部、ディスプレイ制御部、スイッチ制御部、リアゲート状態検知制御部などが設けられる。さらに、ＨＭＩドメインには、これらの機器制御部６４，６５，６６の制御を統括するドメイン制御部として、ＨＭＩドメイン制御部６０が設けられている。ＨＭＩドメイン制御部６０は、マスタドメイン制御部としてのマスタＨＭＩ（ＭＨＭＩ）制御部６１と、ローカルドメイン制御部としてのローカルＨＭＩ（ＬＨＭＩ）制御部４２，４３とから構成されている。ＭＨＭＩ制御部６１は、マスタドメイン制御部としての機能と、ローカルドメイン制御部としての機能とを兼ね備えている。
【００３２】
次に、上述した車載機器、機器制御部１４〜１６，２４〜２６，３４〜３６，４４〜４６，５４〜５６，６４〜６６及びドメイン制御部１０，２０，３０，４０，５０，６０の車両への配置について説明する。
【００３３】
まず、上述した各種の複数の車載機器は、各車載機器に求められる役割や搭載上のスペースの関係から、車両の各部に配置される。このため、上述したドメイン制御部１０，２０，３０，４０，５０，６０を、車両の所定の場所に集中的に配置すると、全体として、各車載機器までの通信配線の長さが長くなってしまい、車両内における取り回しが煩雑になってしまうことが懸念される。
【００３４】
そこで、本実施形態による車両用制御システム１００では、図２に示すように、車両を少なくとも２つのエリアに分割する。図２には、車両を、フロントエリア７０、ミドルエリア８０、及びリアエリア９０の３つのエリアに分割した例を示している。ただし、分割数は、図２の例のように３つに限定される訳ではない。例えば、車両を前方エリアと後方エリアのように２つのエリアに分割しても良い。また、前方右側エリア、前方左側エリア、後方右側エリア、後方左側エリアのように、４つのエリアに分割しても良い。４つのエリアに分割する場合、図２に示す分割例において、フロントエリアをさらに左右２つのエリアに分割しても良い。さらに、車両のサイズに応じて、５つのエリアや６つのエリアに分割しても良い。
【００３５】
このようにして、車両を少なくとも２つのエリアに分割することにより、複数の車載機器は、その配置場所に応じて、分割されたいずれかのエリアに振り分けられる。その車載機器の振り分けに応じて、該当する車載機器を制御する機器制御部１４〜１６，２４〜２６，３４〜３６，４４〜４６，５４〜５６，６４〜６６も同じエリアに属するように分散して配置する。さらに、各ドメイン制御部１０，２０，３０，４０，５０，６０の構成要素である、ＭＰＴ制御部１１、ＬＰＴ制御部１２，１３、ＭＥＬ制御部２１、ＬＥＬ制御部２２，２３、ＭＢＤ制御部３１、ＬＢＤ制御部３２、３３、ＭＣＳ制御部４１、ＬＣＳ制御部４２，４３、ＭＥＶＩ制御部５１，ＬＥＶＩ制御部５２、５３、ＭＨＭＩ制御部６１、ＬＨＭＩ制御部６２，６３も、制御目標値を出力すべき対応する機器制御部１４〜１６，２４〜２６，３４〜３６，４４〜４６，５４〜５６，６４〜６６と同じエリアに属するように分散して配置する。
【００３６】
この結果、関連するドメイン制御部１０，２０，３０，４０，５０，６０の構成要素であるローカルドメイン制御部（ローカルドメイン制御部の機能を備えたマスタドメイン制御部含む）と、機器制御部１４〜１６，２４〜２６，３４〜３６，４４〜４６，５４〜５６，６４〜６６と、車載機器とを同じエリアに配置することができる。従って、それらを接続するための通信配線の長さの短縮化を図ることができる。その結果、車両における通信配線の取り回しの煩雑さを軽減することができる。
【００３７】
図３に、機器制御部１４〜１６，２４〜２６，３４〜３６，４４〜４６，５４〜５６，６４〜６６、及び各ドメイン制御部１０，２０，３０，４０，５０，６０の各構成要素の各エリア７０，８０，９０への配置例を示す。 
【００３８】
図３に示す例では、パワートレインドメインにおいて、フロントエリア７０に、機器制御部１４として、エンジン制御部、ＭＧ制御部、トランスミッション制御部が配置されている。そして、フロントエリア７０には、これらエンジン制御部、ＭＧ制御部、トランスミッション制御部による制御を統括するローカルドメイン制御部として、ＭＰＴ制御部１１が配置されている。すなわち、パワートレインドメインにおいては、フロントエリアに配置されるローカルドメイン制御部が、マスタ制御部としての機能も備えたものとなっている。
【００３９】
パワートレインドメインのミドルエリア８０には、機器制御部１５として、駆動力配分機構制御部が配置され、ローカルドメイン制御部として、ＬＰＴ制御部１２が配置されている。また、パワートレインドメインのリアエリア９０には、機器制御部１６として、高圧バッテリ制御部、ＤＣＤＣコンバータ制御部、充電器ＩＦ制御部が配置され、ローカルドメイン制御部として、ＬＰＴ制御部１３が配置されている。
【００４０】
エレクトリカルドメインでは、フロントエリア７０に、機器制御部２４として、主低圧バッテリ制御部、フロントＪＢ制御部が配置され、ローカルドメイン制御部として、ＭＥＬ制御部２１が配置されている。このように、エレクトリカルドメインの場合も、マスタドメイン制御部が、フロントエリア７０に配置されている。
【００４１】
エレクトリカルドメインのミドルエリア８０には、機器制御部２５として、センターＪＢ制御部が配置され、ローカルドメイン制御部として、ＬＥＬ制御部２２が配置されている。また、エレクトリカルドメインのリアエリア９０には、機器制御部２６として、副低圧バッテリ制御部、リアＪＢ制御部が配置され、ローカルドメイン制御部として、ＬＥＬ制御部２３が配置されている。
【００４２】
ボデードメインでは、フロントエリア７０に、機器制御部３５として、前方灯火制御部、外部エアバッグ制御部が配置され、ローカルドメイン制御部として、ＬＢＤ制御部３２が配置されている。ボデードメインのミドルエリア８０には、機器制御部３４として、ドア制御部、シート制御部、エアコン制御部、乗員エアバッグ制御部が配置され、ローカルドメイン制御部として、ＭＢＤ制御部３１が配置されている。このように、ボデードメインの場合、マスタドメイン制御部が、ミドルエリア８０に配置されている。また、ボデードメインのリアエリア９０には、機器制御部３６として、リアゲート制御部、後方灯火制御部が配置され、ローカルドメイン制御部として、ＬＢＤ制御部３３が配置されている。
【００４３】
シャシドメインでは、フロントエリア７０に、機器制御部４５として、前輪側ブレーキアクチュエータ制御部、左右前輪のダンパの減衰力を制御する前輪ダンパ制御部、左右前輪の空気圧の検知を制御する前輪空気圧検知制御部、ＥＰＳ制御部が配置されている。また、フロントエリアには、これらの機器制御部４５を統括して制御するためのローカルドメイン制御部として、ＬＣＳ制御部４２が配置されている。
【００４４】
シャシドメインのミドルエリア８０には、機器制御部４４として、ＶＰ制御部が配置され、ローカルドメイン制御部として、ＭＣＳ制御部４１が配置されている。このように、シャシドメインにおいても、マスタドメイン制御部が、ミドルエリア８０に配置されている。また、シャシドメインのリアエリア９０には、機器制御部４６として、後輪側ブレーキアクチュエータ制御部、後輪ダンパ制御部、後輪空気圧検知制御部が配置され、ローカルドメイン制御部として、ＬＣＳ制御部４３が配置されている。
【００４５】
周囲環境ドメインでは、フロントエリア７０に、機器制御部５５として、レーザレーダ制御部、フロントミリ波レーダ制御部が配置され、ローカルドメイン制御部として、ＬＥＶＩ制御部５２が配置されている。周囲環境ドメインのミドルエリア８０には、機器制御部５４として、フロントカメラ制御部が配置され、ローカルドメイン制御部として、ＭＥＶＩ制御部５１が配置されている。このように、周囲環境ドメインの場合も、マスタドメイン制御部が、ミドルエリア８０に配置されている。周囲環境ドメインのリアエリア９０には、機器制御部５６として、リアカメラ制御部、リアミリ波レーダ制御部が配置され、ローカルドメイン制御部として、ＬＥＶＩ制御部５３が配置されている。
【００４６】
ＨＭＩドメインでは、フロントエリア７０に、機器制御部６５として、ボンネット状態検知制御部が配置され、ローカルドメイン制御部として、ＬＨＭＩ制御部６２が配置されている。ＨＭＩドメインのミドルエリア８０には、機器制御部６４として、ディスプレイ制御部、スイッチ制御部が配置され、ローカルドメイン制御部として、ＭＨＭＩ制御部６１が配置されている。このように、ＨＭＩドメインの場合も、マスタドメイン制御部が、ミドルエリア８０に配置されている。ＨＭＩドメインのリアエリア９０には、機器制御部６６として、リアゲート状態検知制御部が配置され、ローカルドメイン制御部として、ＬＨＭＩ制御部６３が配置されている。
【００４７】
次に、図４及び図５のフローチャートに基づき、各ドメインにおける、ローカルドメイン制御部の制御処理と、マスタドメイン制御部の制御処理とについて説明する。まず、図４のフローチャートを参照しつつ、ローカルドメイン制御部の制御処理について説明する。なお、図４及び図５のフローチャートに示す処理は、所定時間毎に繰り返し実行される。
【００４８】
図４のフローチャートのステップＳ１００において、ローカルドメイン制御部は、マスタドメイン制御部からエリア制御目標値を受信したか否かを判定する。この判定処理において、未受信と判定した場合には、このステップＳ１００の処理を繰り返すことにより、エリア制御目標値を受信するまで待機する。エリア制御目標値を受信したと判定した場合には、ステップＳ１１０の処理に進む。
【００４９】
ステップＳ１１０では、受信したエリア制御目標値に基づいて、機器制御部１４〜１６、２４〜２６、３４〜３６、４４〜４６、５４〜５６、６４〜６６に対する制御目標値を算出し、出力する。例えば、パワートレインドメインのフロントエリア７０に配置されたＭＰＴ制御部１１は、フロントエリアのエリア制御目標値として、車両として必要なトルクを算出する。ＭＰＴ制御部１１は、この必要トルクを最も効率良く実現できるように、エンジンとＭＧとの分担割合を定める。そして、この定めた分担割合に応じた目標エンジ
ントルク及び目標ＭＧトルクを、制御目標値として、エンジン制御部及びＭＧ制御部に出
力する。また、ＭＰＴ制御部１１は、エンジン及びＭＧにより出力されるトルクを車両の走行状態に適するように変換するための目標変速比を定め、制御目標値として、トランスミッション制御部に出力する。
【００５０】
続く、ステップＳ１２０では、制御目標値に従い、機器制御部１４〜１６、２４〜２６、３４〜３６、４４〜４６、５４〜５６、６４〜６６が制御を行った結果に応じた物理量を検出する。例えば、パワートレインドメインのフロントエリア７０に配置されたＭＰＴ制御部１１は、エンジン回転数、モータ回転数、トランスミッションの入出力軸の回転数を適切なセンサを用いて検出する。そして、ステップＳ１３０において、これらの制御結果に応じた物理量に基づいて、制御目標値通りの制御が行われたか否か、換言すれば、制御目標値通りの制御結果が得られず、なんらかの異常が発生したとみなせるか否かを判定する。ステップＳ１３０において、異常が発生したとの判定がなされた場合、ステップＳ１４０の処理に進み、一方、異常は発生していないとの判定がなされた場合、ステップＳ１６０の処理に進む。
【００５１】
ステップＳ１４０では、異常の態様に応じた異常仮処置を実行する。例えば、目標エンジントルクを発生するようにエンジンを制御した結果、エンジンの回転数が規定範囲を超えてオーバーラン（ＯＲ）した場合には、異常仮処置として、エンジンの回転数が規定範囲の上限値を超えないように制限する。また、ＭＧに関しても同様に、目標ＭＧトルクを発生するようにＭＧを制御した結果、ＭＧの回転数がオーバーランした場合にも、ＭＧの回転数を制限する。続くステップＳ１５０では、このような異常の態様と、その仮処置の内容をマスタドメイン制御部へ通知する。これにより、マスタドメイン制御部にて、異常本処置として、各エリアにおけるエリア制御目標値を適切に変更することが可能となる。
【００５２】
一方、ステップＳ１６０では、マスタドメイン制御部に対し、正常である旨を通知し、図４のフローチャートに示す処理を一旦終了する。
【００５３】
次に、図５のフローチャートを参照しつつ、マスタドメイン制御部の制御処理について説明する。
【００５４】
まずステップＳ２００において、各種のセンサを用いて、車両の状態、乗員（運転者）による各種の操作機器や操作スイッチの操作状態を検出する。続くステップＳ２１０において、ステップＳ２００での検出結果に基づいて、ドメイン全体の制御目標を算出する。
【００５５】
ステップＳ２２０では、後述するステップＳ２６０の処理が実行されており、異常本処置が実行中であるか否かを判定する。この判定処理において、異常本処置が実行中でないと判定された場合、ステップＳ２３０の処理に進み、異常本処置が実行中であると判定された場合、ステップＳ２６０の処理に進む。
【００５６】
ステップＳ２３０では、ステップＳ２１０で算出したドメイン全体の制御目標に基づき、各エリアで実行すべき制御を示すエリア制御目標値を算出して、各ローカルドメイン制御部に送信する。これにより、各エリアにローカルドメイン制御部を分散配置した場合であっても、各エリアにおける制御の全体的な整合を図ることが可能になる。
【００５７】
この際、マスタドメイン制御部は、必要に応じて、他のマスタドメイン制御部へも、制御目標値を送信する。例えば、車両の運転者がブレーキペダルを操作した場合、パワートレインドメインのマスタドメイン制御部であるＭＰＴ制御部１１は、ブレーキペダル操作に応じた制動トルクを発生させるべく、高圧バッテリでの充電可能量を考慮しつつ、油圧ブレーキと回生ブレーキとのそれぞれの目標ブレーキトルクを算出する。そして、ＭＰＴ制御部１１は、算出した油圧ブレーキの目標ブレーキトルクをシャシドメインのＭＣＳ制御部４１へ送信する。
【００５８】
続くステップＳ２４０では、ローカルドメイン制御部から異常発生の通知を受信したか否かを判定する。異常発生の通知を受信していないと判定した場合には、一旦、図５のフローチャートに示す処理を終了する。一方、異常発生通知を受信したと判定した場合には、ステップＳ２５０の処理に進む。
【００５９】
ステップＳ２５０では、受信した異常の態様及び異常仮処置の内容に基づき、その異常に対して、異常本処置として、どのように対応するかを決定する。この際、異常本処置は、異常の態様に応じて、異常が生じたエリアだけで行う場合と、異常及び正常なエリアの両方で行うことが必要な場合があり得る。この点については、後にいくつかの具体例を示して説明する。続くステップＳ２６０では、決定された異常本処置に応じて、エリア制御目標値の変更値を算出し、該当するエリアのローカルドメイン制御部へ送信する。
【００６０】
本実施形態による車両用制御システムでは、上述したように、関連するローカルドメイン制御部（ローカルドメイン制御部の機能を備えたマスタドメイン制御部）と、機器制御部１４〜１６，２４〜２６，３４〜３６，４４〜４６，５４〜５６，６４〜６６と、車載機器とが同じエリアに分散配置される。この場合、エリア単位で個別に異常が発生する可能性が生じる。このような問題に対して、上述したように、ローカルドメイン制御部にて異常の発生を判定し、異常発生時には異常仮処置を行うようにした。さらに、マスタドメイン制御部が、異常本処置として、ローカルドメイン制御部に与えるエリア制御目標値を変更するようにした。これにより、発生した異常の影響を軽減して、極力、制御を継続することが可能になる。
【００６１】
ここで、各エリアのローカルドメイン制御部が、異常発生とみなすいくつかの態様と、その際の異常仮処置及び異常本処置とについて、図６を参照して説明する。
【００６２】
例えば、パワートレインドメインのフロントエリアでは、ローカルドメイン制御部は、上述したようにエンジンのオーバーランやＭＧのオーバーランを異常発生とみなし、異常仮処置として、ＯＲ防止のため、回転数に制限を課す。そして、異常本処置として、マスタドメイン制御部は、エンジンとＭＧとのトルク配分を変更する。エンジンとＭＧとのトルク配分の変更は、フロントエリアのローカルドメイン制御部にて行われるので、この場合には、異常が生じたエリアだけで異常本処置が行われることになる。
【００６３】
パワートレインドメインのミドルエリアでは、ローカルドメイン制御部は、例えば、実際の駆動力配分が制御目標値と異なっている場合に異常発生とみなし、異常仮処置として、２輪駆動に切り替える。そして、この場合の異常本処置として、マスタドメイン制御部は、異常が発生したミドルエリアのＬＰＴ制御部１２に対して、エリア制御目標値として２輪駆動を指示するとともに、正常なフロントエリアのＭＰＴ制御部１１において、２輪駆動を前提としつつ、車両挙動の安定性が確保できる駆動力が発生されるように、フロントエリアのエリア制御目標値を定める。従って、この場合には、異常及び正常なエリアの両方で異常本処置が行われることになる。
【００６４】
パワートレインドメインのリアエリアでは、ローカルドメイン制御部は、例えば、高圧バッテリの充放電が制御目標値通りに行われず、高圧バッテリの過充電、過放電が生じた場合や、高圧バッテリからの漏電が生じている場合を異常発生とみなし、異常仮処置として、リレースイッチをオフすることにより、高圧バッテリを遮断する。この場合の異常本処置として、マスタドメイン制御部は、エンジンのみで車両を駆動するようにする。この際、エンジンの出力を抑えて、リンプホーム走行のみ許可するようにしても良い。
【００６５】
エレクトリカルドメインのフロントエリアでは、ローカルドメイン制御部は、例えば、主低圧バッテリ及びフロントＪＢを介しての各車載機器や制御部への配電が正常に行われない場合を異常発生とみなし、異常仮処置として、主低圧バッテリを遮断する。この場合の異常本処置として、マスタドメイン制御部は、配電の供給元を、主低圧バッテリから副低圧バッテリへ切り換える。
【００６６】
エレクトリカルドメインのミドルエリアでは、ローカルドメイン制御部は、例えば、センターＪＢによって配電が正常に行われない場合を異常発生とみなし、センター配電を受けての車載機器の機能を一時的に停止させる。その後、異常本処置として、マスタドメイン制御部は、センターＪＢを介しての配電供給元が主低圧バッテリとなっていた場合には、その配電分担を副低圧バッテリに変更する。配電経路を変更することにより、配電が正常に行われる可能性が高くなるためである。
【００６７】
エレクトリカルドメインのリアエリアでは、ローカルドメイン制御は、例えば、副低圧バッテリ及びリアＪＢを介しての各車載機器や制御部への配電が正常に行われない場合を異常発生とみなし、異常仮処置として、副低圧バッテリを遮断する。この場合の異常本処置として、マスタドメイン制御部は、配電の供給元を、副低圧バッテリから主低圧バッテリへ切り換える。
【００６８】
シャシドメインのフロントエリアでは、ローカルドメイン制御部は、例えば、前輪空気圧センサからの検知信号を正常に受信できない場合などを異常発生とみなし、異常仮処置として、空気圧センサを用いた空気圧検知を中止する。この場合の異常本処置として、マスタドメイン制御部は、例えば、タイヤの空気圧に応じてタイヤの外径が変化し、結果として、車輪回転数も変化することを利用し、車輪速度センサからの信号を用いた空気圧の推定に切り替える。
【００６９】
シャシドメインのミドルエリアでは、ローカルドメイン制御部は、例えば、負圧ポンプにより発生されるブレーキ負圧が不足した場合を異常発生とみなし、異常仮処置として、ブレーキ負圧不足を補うために負圧ポンプが過剰に駆動されないように駆動制限をかける。さらに異常本処置として、マスタドメイン制御部は、運転者がブレーキペダルを操作したときの踏込不足が予想されるため、ブレーキペダルの踏込に対する制動トルクを高めたり、油圧ブレーキと回生ブレーキとのバランスを変更したりする。
【００７０】
シャシドメインのリアエリアでは、ローカルドメイン制御部は、例えば、後輪ダンパの減衰力の調整が目標値通りに行われない場合を異常発生とみなし、異常仮処理として、ダンパの減衰力を固定する。そして、異常本処置として、マスタドメイン制御部は、異常ダンパの減衰力に合わせて４輪のダンパバランスが確保されるように、例えば、残り３つのダンパの減衰力も、異常ダンパの減衰力と同じ値に固定する。
【００７１】
周囲環境ドメインのフロントエリアでは、ローカルドメイン制御部は、例えば、レーザレーダ又はミリ波レーダにより障害物を正常に検知できない場合を異常発生とみなし、異常仮処置として、異常レーダの使用を中止する。この場合の異常本処置として、マスタドメイン制御部は、例えば、障害物を回避するための制御が、より早期に回避されるように、制御開始基準を変更する。
【００７２】
周囲環境ドメインのミドルエリアでは、ローカルドメイン制御部は、例えば、カメラによる車両周囲の撮影や、その撮影画像の画像処理が正常に行われない場合を異常発生とみなし、異常仮処置として、カメラの使用を中止する。この場合の異常本処置として、マスタドメイン制御部は、例えば、上記のレーダ異常のケースと同様に、制御開始基準を変更する。
【００７３】
周囲環境ドメインのリアエリアでは、ローカルドメイン制御部は、例えば、フロントエリアの場合と同様に、ミリ波レーダにより障害物を正常に検知できない場合を異常発生とみなし、異常仮処置として、異常レーダの使用を中止する。この場合の異常本処置として、マスタドメイン制御部は、制御開始基準を変更する。
【００７４】
ＨＭＩドメインのフロントエリアでは、ローカルドメイン制御部は、ボンネット状態を正常に検知できない場合を異常発生とみなし、異常仮処理として、ボンネット状態の検知を中止する。この場合、マスタドメイン制御部は、他の検知手段（カメラや、乗員が携帯している通信機の通信位置履歴等）を用いて乗員動作を推定し、その推定結果に基づいて、乗員がボンネットを完全に締めていない可能性があるかどうかを判定する。そして、乗員がボンネットを開けていない可能性が高い場合には、車両の起動を許可する判定を行い、一方、ボンネットを完全に締めていない可能性がある場合には、車両の起動を禁止したまま、例えば、ボンネットが完全に閉じられているか否かを乗員に問い合わせる。この際、乗員からボンネットは閉じられている旨の回答が得られたら、車両の起動を許可する。
【００７５】
ＨＭＩドメインのリアエリアでは、ローカルドメイン制御部は、リアゲート（又はトランク）の状態を正常に検知できない場合を異常発生とみなし、異常仮処理として、リアゲート状態の検知を中止する。この場合、マスタドメイン制御部は、他の検知手段（カメラや、乗員が携帯している通信機の通信位置履歴等）を用いて乗員動作を推定し、その推定結果に基づいて、乗員がリアゲートを完全に締めていない可能性があるかどうかを判定する。そして、乗員がリアゲートを開けていない可能性が高い場合には、車両の起動を許可する判定を行い、一方、リアゲートを完全に締めていない可能性がある場合には、車両の起動を禁止したまま、例えば、リアゲートが完全に閉じられているか否かを乗員に問い合わせる。この際、乗員からリアゲートは閉じられている旨の回答が得られたら、車両の起動を許可する。
【００７６】
このように、いずれかのエリアにおいて異常が発生すると、まず、そのエリアのローカルドメイン制御部が、異常仮処置を行い、その後、マスタドメイン制御部が、異常本処置を実行する。そのため、異常が発生した場合、各エリアで遅滞なく異常に対する安全処置（異常仮処置）を実施し、その後、車両全体で、その安全処置との整合をはかりつつ、適切な処置（異常本処置）を施すことが可能になる。
【００７７】
ただし、いずれかのエリアで異常が発生した場合、ローカルドメイン制御部は、異常仮処置を実施することなく、その異常の態様をマスタドメイン制御部に通知し、マスタドメイン制御部から、ローカルドメイン制御に対して、取るべき安全処置を指示するようにしても良い。
【００７８】
以上、本発明の好ましい実施形態について説明したが、本発明は、上述した実施形態になんら制限されることなく、本発明の主旨を逸脱しない範囲において、種々、変形して実施することが可能である。
【００７９】
例えば、上述した実施形態では、車両の前後方向において、車両を３つのエリア（フロントエリア、ミドルエリア、リアエリア）に分割した。しかしながら、左右方向において、車両を２つのエリアに分割した場合、異常本処置として、左右で機能を補完するようにしても良い。
【００８０】
例えば、前方灯火において、片側に異常が発生した場合、その片側の異常灯火による影響を抑えるために、正常灯火の光軸を調節するようにしても良い。例えば、光量不足が生じている場合には、正常灯火の光軸をハイビーム側に調節する。また、光軸の制御不良が生じている場合には、車両旋回時の視界確保のために、正常灯火の光軸を左右方向に調節する。また、例えば、ＥＰＳ制御部と、前輪ブレーキアクチュエータ制御部とを左右の異なるエリアに配置し、ＥＰＳ制御において、アシストトルクが不足する異常が生じた場合に、旋回内側の前輪ブレーキを作動させ、車両の旋回力を補助するようにしても良い。
【００８１】
また、上述した実施形態では、いずれかのローカルドメイン制御部が、マスタドメイン制御部としての機能を兼ね備える例について説明した。しかしながら、マスタドメイン制御部は、各エリアに設けられるローカルドメイン制御部とは別個に設けても良い。また、マスタドメイン制御部は、例えば、複数設けて、メインのマスタドメイン制御部が故障した場合には、別のマスタドメイン制御部がドメイン全体の制御を引き継ぐようにしても良い。
【００８２】
さらに、上述した実施形態では、各マスタドメイン制御部が、最上位の制御部として、車両の状態や、運転者の操作状態に応じて、対応するドメイン全体の制御目標を定めたり、他のドメイン制御部との協調制御を実行したりする例について説明した。
【００８３】
しかしながら、各マスタドメイン制御部の上位に位置付けられる上位制御部をさらに設けても良い。上位制御部は、例えば、車両の状態、運転者の操作状態、外部環境の状態などに基づき、各ドメインの制御目標を定めて通知するようにしても良い。この場合、各ドメイン制御部は、上位制御部から通知されたドメインの制御目標を達成するように、エリア制御目標を定めて各ローカルドメインに通知する。あるいは、上位制御部は、車両全体の制御モードを設定し（例えば、手動運転モードと自動運転モードとのいずれかの設定や、走行優先モード、燃費優先モード、快適性優先モードのいずれかの設定など）、その設定した制御モードを各ドメイン制御部に通知するようにしても良い。制御モードが通知された場合、各ドメイン制御部は、その通知された制御モードに応じて、制御内容を切り替えるように構成される。さらに、上位制御部は、各ドメイン制御部において定められたドメイン制御目標を調停するものであっても良い。例えば、上位制御部は、それぞれのドメイン制御部において設定されたドメイン制御目標がマッチングしているかどうかを判定し、マッチングしていない場合には、少なくとも１つのドメイン制御部に対し、ドメイン制御目標の変更を指示するものであっても良い。一例として、各ドメインにおける制御目標が、消費電力の大きい制御を指示するものであった場合に、消費電力の平準化のために、上位制御部は、各ドメインにおける制御に優先度を設定し、優先度の低い制御に対応するドメイン制御目標を、一端保留させたり、消費電力の低い制御に対応するドメイン制御目標に変更させたりしても良い。
【００８４】
また、この上位制御部もプログラムやデータベースとして、ＣＰＵ、ＲＯＭ、ＲＡＭ等を備えた電子制御装置（ＥＣＵ）に実装することにより具現化される。この上位制御部は、マスタドメイン制御部１１，２１，３１，４１，５１，６１とは独立して設けても良いし、例えば、エリア制御に依存しないマスタドメイン制御部１１，２１，３１，４１，５１，６１をドメイン制御部１０，２０，３０，４０，５０，６０から少なくとも１つ分離し、その分離したマスタドメイン制御部と共通の電子制御装置に実装しても良い。
【符号の説明】
【００８５】
１０  パワートレインドメイン制御部
２０  エレクトリカルドメイン制御部
３０  ボデードメイン制御部
４０  シャシドメイン制御部
５０  周囲環境ドメイン制御部
６０  ＨＭＩドメイン制御部
【図１】
0006717225.tif 000002
【図２】
0006717225.tif 000003
【図３】
0006717225.tif 000004
【図４】
0006717225.tif 000005
【図５】
0006717225.tif 000006
【図６】
0006717225.tif 000007